【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
送信経路及び受信経路のうち少なくとも１つの経路がより高い電力消費を犠牲にして有効にされるパワーアップ状態と、前記少なくとも１つの経路がより低い電力消費を支持して無効にされるパワーダウン状態とを有する無線トランシーバを含む複数のハードウェアＩ／Ｏユニットと、
プロセッシング装置と、
前記プロセッシング装置へ結合され、該プロセッシング装置で実行されるよう配置される少なくとも第１及び第２のアプリケーション、オペレーティングシステム、通信プロトコル層並びにドライバ層を記憶する記憶媒体と
を有し、
前記オペレーティングシステムは、前記通信プロトコル層及び前記ドライバ層を介する前記無線トランシーバへのアクセスを含む、前記ドライバ層を介する前記ハードウェアＩ／Ｏユニットへの前記第１及び第２のアプリケーションによるアクセスをアービトレートするよう配置され、
前記第２のアプリケーションは、前記第１のアプリケーションに関連するトラフィックと同じ連続フェーズの前記パワーアップ状態の間、前記無線トランシーバを介して通信される前記第２のアプリケーションに関連するトラフィックを協調させるよう構成される無線トラフィックスケジューラを有する、
端末。
【請求項２】
前記無線トラフィックスケジューラは、前記トラフィックの協調が、前記第１及び第２のアプリケーションの一方又は両方に関連するトラフィックのアプリケーション層コンテンツの情報と、前記第１及び第２のアプリケーションの一方又両方に関連するトラフィックがタイムクリティカルであるかどうか又はどの程度タイムクリティカルであるのかとに依存するように、構成される、
請求項１に記載の端末。
【請求項３】
前記無線トラフィックスケジューラは、
前記オペレーティングシステムを介して、前記第１のアプリケーションに関連する第１トラフィックのスケジューリングに関するインジケーションを受け取り、
前記第２のアプリケーションに関連する第２トラフィックが、前記第１のアプリケーションに関連するトラフィックと同じ連続フェーズの前記パワーアップ状態の間に前記無線トランシーバを介して通信されるようにスケジューリングされ得るかどうかを決定する
ことによって前記協調を実行するよう構成される、
請求項１又は２に記載の端末。
【請求項４】
前記インジケーションは、前記第１のアプリケーションに関連する第１トラフィックのスケジューリングに関して前記第１のアプリケーションにクエリーを行う前記第２のアプリケーションにおける前記無線トラフィックスケジューラによって受け取られる、
請求項３に記載の端末。
【請求項５】
前記無線トラフィックスケジューラは、
前記第２のアプリケーションに関連するトラフィックが、前記第１のアプリケーションに関連するトラフィックについて既にスケジューリングされたフェーズにはスケジューリング不可能である場合に、前記第１のアプリケーションに関連するトラフィックのスケジューリングされた通信を要求する前記オペレーティングシステム又は前記第１のアプリケーションへのリクエストを送信する
ことによって前記協調を実行するよう構成される、
請求項３又は４に記載の端末。
【請求項６】
前記オペレーティングシステムは、
異なる夫々の時間で前記無線トランシーバを介するトラフィックの通信のために前記第１及び第２のアプリケーションからリクエストを受け取り、
前記第２のアプリケーションにおける前記無線トラフィックスケジューラと協働して、前記第２のアプリケーションからのリクエストに関連するトラフィックを夫々のリクエストの時間以外の時間に再スケジューリングして、前記第１のアプリケーションからのリクエストに関連するトラフィックと同じ連続フェーズの前記パワーアップ状態の間に前記無線トランシーバを介して通信されるようにする
ことによって前記協調に関与するよう構成される無線トラフィックスケジューラを更に有する、
請求項１又は２に記載の端末。
【請求項７】
前記オペレーティングシステムにおける無線トラフィックスケジューラは、
１又はそれ以上の第１の時間で前記無線トランシーバを介して第１トラフィックを通信するよう前記第１のアプリケーションから１又はそれ以上のリクエストを受け取り、前記１又はそれ以上の要求された第１の時間でアクセスをスケジューリングし、
１又はそれ以上の第２の時間で前記無線トランシーバを介して第２トラフィックと通信するよう前記第２のアプリケーションから１又はそれ以上のリクエストを受け取り、前記１又はそれ以上の第１の時間に基づき前記第２トラフィックの再スケジューリングされた通信を提示する前記第２のアプリケーションにおける無線トラフィックスケジューラに対する応答を返す
ことによって前記再スケジューリングを実行するよう構成される、
請求項６に記載の端末。
【請求項８】
前記第２のアプリケーションは、パケットに基づくネットワークを介してボイス若しくはビデオ交換を行い又はＩＭチャットメッセージを交換するためのパケットに基づく通信クライアントを有する、
請求項１乃至７のうちいずれか一項に記載の端末。
【請求項９】
送信経路及び受信経路のうち少なくとも１つの経路がより高い電力消費を犠牲にして有効にされるパワーアップ状態と、前記少なくとも１つの経路がより低い電力消費を支持して無効にされるパワーダウン状態とを有する無線トランシーバを含む複数のハードウェアＩ／Ｏユニットと、
プロセッシング装置と、
前記プロセッシング装置へ結合され、該プロセッシング装置で実行されるよう配置される少なくとも第１及び第２のアプリケーション、オペレーティングシステム、通信プロトコル層並びにドライバ層を記憶する記憶媒体と
を有し、
前記オペレーティングシステムは、前記通信プロトコル層及び前記ドライバ層を介する前記無線トランシーバへのアクセスを含む、前記ドライバ層を介する前記ハードウェアＩ／Ｏユニットへの前記第１及び第２のアプリケーションによるアクセスをアービトレートするよう配置される、端末を動作させる方法であって、
前記第１のアプリケーションに関連するトラフィックと同じ連続フェーズの前記パワーアップ状態の間、前記無線トランシーバを介して通信される前記第２のアプリケーションに関連するトラフィックを協調させるよう、前記第２のアプリケーションにおいて実装される無線トラフィックスケジューラを実行する、
方法。
【請求項１０】
前記無線トラフィックスケジューラは、前記トラフィックの協調が、前記第１及び第２のアプリケーションの一方又は両方に関連するトラフィックのアプリケーション層コンテンツの情報と、前記第１及び第２のアプリケーションの一方又両方に関連するトラフィックがタイムクリティカルであるかどうか又はどの程度タイムクリティカルであるのかとに依存するように、構成される、
請求項９に記載の方法。
【請求項１１】
前記無線トラフィックスケジューラは、
前記オペレーティングシステムを介して、前記第１のアプリケーションに関連する第１トラフィックのスケジューリングに関するインジケーションを受け取り、
前記第２のアプリケーションに関連する第２トラフィックが、前記第１のアプリケーションに関連するトラフィックと同じ連続フェーズの前記パワーアップ状態の間に前記無線トランシーバを介して通信されるようにスケジューリングされ得るかどうかを決定する
ことによって前記協調を実行するよう構成される、
請求項９又は１０に記載の方法。
【請求項１２】
前記インジケーションは、前記第１のアプリケーションに関連する第１トラフィックのスケジューリングに関して前記第１のアプリケーションにクエリーを行う前記第２のアプリケーションにおける前記無線トラフィックスケジューラによって受け取られる、
請求項１１に記載の方法。
【請求項１３】
前記無線トラフィックスケジューラは、
前記第２のアプリケーションに関連するトラフィックが、前記第１のアプリケーションに関連するトラフィックについて既にスケジューリングされたフェーズにはスケジューリング不可能である場合に、前記第１のアプリケーションに関連するトラフィックのスケジューリングされた通信を要求する前記オペレーティングシステム又は前記第１のアプリケーションへのリクエストを送信する
ことによって前記協調を実行するよう構成される、
請求項１１又は１２に記載の方法。
【請求項１４】
前記オペレーティングシステムは、
異なる夫々の時間で前記無線トランシーバを介するトラフィックの通信のために前記第１及び第２のアプリケーションからリクエストを受け取り、
前記第２のアプリケーションにおける前記無線トラフィックスケジューラと協働して、前記第２のアプリケーションからのリクエストに関連するトラフィックを夫々のリクエストの時間以外の時間に再スケジューリングして、前記第１のアプリケーションからのリクエストに関連するトラフィックと同じ連続フェーズの前記パワーアップ状態の間に前記無線トランシーバを介して通信されるようにする
ことによって前記協調に関与するよう構成される無線トラフィックスケジューラを更に有する、
請求項９又は１０に記載の方法。
【請求項１５】
前記オペレーティングシステムにおける無線トラフィックスケジューラは、
１又はそれ以上の第１の時間で前記無線トランシーバを介して第１トラフィックを通信するよう前記第１のアプリケーションから１又はそれ以上のリクエストを受け取り、前記１又はそれ以上の要求された第１の時間でアクセスをスケジューリングし、
１又はそれ以上の第２の時間で前記無線トランシーバを介して第２トラフィックと通信するよう前記第２のアプリケーションから１又はそれ以上のリクエストを受け取り、前記１又はそれ以上の第１の時間に基づき前記第２トラフィックの再スケジューリングされた通信を提示する前記第２のアプリケーションにおける無線トラフィックスケジューラに対する応答を返す
ことによって前記再スケジューリングを実行するよう構成される、
請求項１４に記載の方法。
【請求項１６】
前記第２のアプリケーションは、パケットに基づくネットワークを介してボイス若しくはビデオ交換を行い又はＩＭチャットメッセージを交換するためのパケットに基づく通信クライアントを有する、
請求項９乃至１５のうちいずれか一項に記載の方法。
【請求項１７】
送信経路及び受信経路のうち少なくとも１つの経路がより高い電力消費を犠牲にして有効にされるパワーアップ状態と、前記少なくとも１つの経路がより低い電力消費を支持して無効にされるパワーダウン状態とを有する無線トランシーバを含む複数のハードウェアＩ／Ｏユニットと、
プロセッシング装置と、
前記プロセッシング装置へ結合され、該プロセッシング装置で実行されるよう配置される少なくとも第１及び第２のアプリケーション、オペレーティングシステム、通信プロトコル層並びにドライバ層を記憶する記憶媒体と
を有し、
前記オペレーティングシステムは、前記通信プロトコル層及び前記ドライバ層を介する前記無線トランシーバへのアクセスを含む、前記ドライバ層を介する前記ハードウェアＩ／Ｏユニットへの前記第１及び第２のアプリケーションによるアクセスをアービトレートするよう配置される、端末のためのコンピュータプログラムであって、
持続性コンピュータ可読媒体において坦持される前記第２のアプリケーションを有し、該第２のアプリケーションが、前記プロセッシング装置で実行される場合に請求項９乃至１６のうちいずれか一項に記載の方法を実施するように無線トラフィックスケジューラを有する、
コンピュータプログラム。